(57)【要約】２本の直立した支持チューブ（２）及び少なくとも２つの組み立てかぎ爪（３）を備えた特に医療分野において使用されるコンソール（１）であり、組み立てかぎ爪（３）は支持チューブ（２）上において２つの組み立てかぎ爪（３）が各々の場合に互いに隣り合うように支持チューブ（２）上に取り付けられている。組み立てかぎ爪（３）の各々は差し込み連結部（４）を有している。コンソールには、少なくとも１つのトレイ（５）が備えられている。トレイ（５）はその各々が差し込み連結部（４）を収容する２つの差し込み口（６）を有しているため、トレイ（５）を組み立てかぎ爪（３）の両方に差し込ませることが可能になる。トレイ（５）はコンソール（１）のどのような高さにも簡単な方法で取り付けることができる。
2010508869.tif 000002
【特許請求の範囲】
【請求項１】
２本の直立した支持チューブ（２）及び少なくとも２つの組み立てかぎ爪（３）を備えた、特に医療分野において使用されるコンソール（１）であって、
上記２つの組み立てかぎ爪（３）は、上記支持チューブ（２）において互いに隣り合うように上記支持チューブ（２）上に取り付けられており、
上記２つの組み立てかぎ爪（３）の各々は差し込み連結部（４）を有しており、
当該コンソールは、上記差し込み連結部（４）の各々を収容するための２つの差し込み口（６）を有する少なくとも１つのトレイ（５）を有しており、
上記組み立てかぎ爪（３）のいずれもが、上記トレイ（５）に差し込み可能に構成されている、コンソール。
【請求項２】
長方形のチューブが、差し込み口（６）として設けられている、請求項１に記載のコンソール。
【請求項３】
上記差し込み連結部（４）は、ボール（７）を有しており、
上記差し込み連結部（４）に保持されたボール（７）は、ばね（８）を用いて、上記差し込み連結部（４）に接触するように予め取り付けられていると共に、上記差し込み口（６）における凹部（９）に対する外れ止めのために取り付けられている、請求項１又は２に記載のコンソール。
【請求項４】
上記組み立てかぎ爪（３）は、各々がつかみ部（１２）を有する２つのかぎ爪部（１０，１１）からなり、
上記かぎ爪部（１０，１１）は、望ましくはねじくぎである連結部品（１３）により、互いが連結されている、請求項１から３のいずれか１項に記載のコンソール。
【請求項５】
望ましくはねじくぎである固定部品（１４）が、上記差し込み口（６）において上記差し込み連結部（４）を固定するために設けられている、請求項１から４のいずれか１項に記載のコンソール。
【請求項６】
上記トレイ（５）は上側の壁（１５）及び下側の壁（１６）を有しており、上記差し込み口（６）は２つの上記壁（１５，１６）の間に形成されている、請求項１から５のいずれか１項に記載のコンソール。
【請求項７】
上記壁（１５，１６）の間に、少なくとも１つの収納部（１７）を有している、請求項６に記載のコンソール。
【請求項８】
上記収納部（１７）は、望ましくは電源プラグ（１９）と共に、電気ケーブル（１８）を収容するために設けられている、請求項７に記載のコンソール。
【請求項９】
収納部（１７）の外縁である上記上側の壁（１５）には、コネクタソケット（２１）を有する電気ケーブル（１８）を配設するための少なくとも１つの穴（２０）が形成されている、請求項８に記載のコンソール。
【請求項１０】
上記コンソール（１）に備えられた本体部（２２）は、給電線（２４）を介して電流の供給を受ける複数のコンセント（２３）を有している、請求項９に記載のコンソール。
【発明の詳細な説明】
【発明の詳細な説明】
【０００１】
本発明の装置は、特に医療分野において使用されるコンソールに関するものである。
【０００２】
医療分野において、医療装置を支持するトレイを備えたコンソールを使用することは、周知である。この際に、装置はトレイの上に配置される。装置において使用される電気的な接続線は、トレイを介するように配設され、接続線の連結器はソケットに差し込まれる。トレイは簡単な構造であり、プラグシステムを使用するために所定の高さである定位置に差し込まれるか、比較的複雑な組立装置を使用するために一定の高さの位置に固定される。
【０００３】
コンソール上のどのような高さにも比較的簡単にトレイを取り付けることができるコンソールにおけるトレイの取り付けが、本発明の目的である。
【０００４】
この目的は請求項１の構成により達成される。すなわち、２本の直立した支持チューブがコンソールに備えられる。支持チューブにおいて、少なくとも２つの組み立てかぎ爪が互いに隣り合うように取り付けられる。組み立てかぎ爪の各々は、差し込み連結部を有している。さらに、コンソールには、差し込み連結部の各々を収容するための２つの差し込み口を有する少なくとも１つのトレイが備えられている。これにより、組み立てかぎ爪のいずれもトレイに差し込ませることが可能になる。
【０００５】
本発明案は、所望の高さがどのような高さであっても、トレイを簡単な方法により取り付けることができるという利点を有する。トレイを支持する組み立てかぎ爪のいずれも、２本の棒の任意の高さ、すなわちトレイ上において医療処置の目的を実現させるような高さに取り付けることができる。差し込み連結部はトレイの差し込み口に差し込まれる。トレイの取り付けはこのように行われる。
【０００６】
本発明案の更に有利な実施形態は、請求項２〜１０に記載されている。
【０００７】
長方形のチューブ（請求項２）が、差し込み連結部ひいてはトレイを固定する差し込み口として適している。
【０００８】
請求項３の構成に従って、差し込み連結部がボールを有している場合、２つの利点が得られる。請求項３の構成によれば、差し込み口における凹部に対する外れ止めのために取り付けられるボールは、差し込み連結部に保持されており、ばねを使用して、差し込み連結部に接触するように予め取り付けられている。１つめの利点は、使用者が取り付け時の音を聞くことができることによって、差し込み連結部がしっかりと差し込み口に止められたということを音により判別できる事である。もう１つの利点は、ボールが抵抗を有することにより、差し込み連結部があまりに容易に外れることはないが、取り外すための適度な力を加えればトレイを支持チューブから簡単に外せる事である。
【０００９】
組み立てかぎ爪の各々がつかみ部を有する２つのかぎ爪部からなり、かつ、かぎ爪部が連結部品（望ましくは、ねじくぎ）を用いて互いに連結されている場合（請求項４）、かぎ爪部は、つかみ部を分離することにより、支持チューブ上に配置され得る。このとき、つかみ部は、支持チューブを取り囲んでいる。ひとたび連結部品が差し込まれ、取り付けられれば、支持チューブに非常に安定して取り付けられた差し込み連結部を実現することができる。
【００１０】
請求項５の構成に従って、固定部品（望ましくはねじくぎ）が差し込み口において差し込み連結部を固定するように備えられている場合、差し込み連結部は差し込み口における所定の位置に固定することができる。
【００１１】
トレイが上側の壁及び下側の壁を有しており、かつ、差し込み口が上記の２つの壁の間に備えられている場合（請求項６）、トレイの内側で１つの目的を達成し続けることができる。つまり、２つの壁の間の区画は、収納部として使用することができる（請求項７）。この種の収納部は、電気ケーブルを、望ましくは電源プラグと共に収容するスペースとして利用することができる（請求項８）。これにより、過度な長さの電気ケーブルについても、安全に格納することを実現することができる。ケーブル又はケーブルループを原因とする障害は、このようにして防止される。
【００１２】
請求項９の構成に従って、コネクタソケットを有する電気ケーブルの通路となるように、少なくとも１つの穴が収納部の外縁となる上側の壁に形成されている場合、収納部を介して配設されているケーブル（電気ケーブルに加えて給水ケーブル又はガスの供給ケーブルを含む）は、トレイ上に配置されている装置に電気を供給することができる。穴から装置まで伸びているケーブルの一部のみが、トレイ上において目視され得る。複数のケーブル、データラインなどの経路として、複数の穴が利用される。
【００１３】
本体部がコンソールに備えられており、かつ、その本体部が給電線を介して電流の供給を受ける複数のコンセントを有している場合（請求項１０）、収納部内の電気ケーブルは、邪魔になる過度に長いケーブル線が無くともトレイから少しの距離離れた所で電気の供給を受けることができる。給電線は、コンソールの上部方向から下部方向へと通されることが望ましい。これは好ましい実施形態においては、支持チューブが天井に掛けられるため、特に有利な点となる。コンソールは美容院においても使用され得る。
【００１４】
代表的な実施形態を示す以下の図を参照にして、本発明を以下に詳細に説明する。図１は、２本の直立した支持チューブ及び２つのトレイを備えたコンソールの斜視図を示す。２つのトレイの各々が電気ケーブルを収容するための収納部を備え、かつ、トレイの各々が２個の差し込み連結部を備えた支持チューブに取り付けられている。
【００１５】
図２は、図１に係るトレイの斜視図を示す。
【００１６】
図３は、図２に係るトレイの側面図を示す。
【００１７】
図４は、図２に示すトレイを部分的に切り出した上面図を示す。電気ケーブルは図示されておらず、差し込み連結部が図示されている。
【００１８】
図５は、図４に示した部分的に切り出したトレイを、図３の図に対して９０度回転させた側面図を示す。
【００１９】
医療分野において使用されるコンソール１は、２本の直立した支持チューブ２及び４個の組み立てかぎ爪３を備えており、組み立てかぎ爪３は支持チューブ２上に取り付けられている。２つの組み立てかぎ爪３は、どのような場合であっても互いに隣り合うように支持チューブ２上に取り付けられている。組み立てかぎ爪３の各々は、差し込み連結部４を有している。２つのトレイの各々には、長方形のチューブとして構成された２つの差し込み口６が設けられている。差し込み口６は、差し込み連結部４の各々を収容するためのものであり、これにより２つの組み立てかぎ爪３をトレイに差し込むことができる。
【００２０】
差し込み連結部４はボール７を有している。ボール７は差し込み連結部４に保持されており、ばね８を使用して、差し込み連結部４に接触するように予め取り付けられている。ボール７は、差し込み口６における凹部９に対する外れ止めのために取り付けられている。
【００２１】
組み立てかぎ爪３は２つのかぎ爪部１０，１１からなる。かぎ爪部１０，１１の各々がつかみ部１２を有している。かぎ爪部１０，１１は、ねじくぎなどの連結部品１３を利用して互いに連結されている。ねじくぎである固定部品１４が、差し込み口６において差し込み連結部４を固定するように取り付けられている。
【００２２】
各々のトレイ５は、上側の壁１５及び下側の壁１６を有している。トレイにおける２つの壁１５，１６それぞれの間には、２つの差し込み口６及び３つの収納部１７が設けられている。収納部１７は、電気ケーブル１８を、望ましくは電源プラグ１９と共に収容するように構成されている。その際に、電源プラグ１９は、収納部１７に押し付けられて固定される。壁の長さは、電源プラグ１９の長さに応じて設計される。左側および中央の収納部１７の外縁となる上側の壁１５には、電気ケーブル１８それぞれを配設するための全部で４個の穴２０が設けられている。電気ケーブル１８は、電気ケーブル１８に繋がったコネクタソケット２１を有している。コネクタソケット２１は、医療装置に繋がれて使用される。本体部２２はコンソール１に備えられており、かつ、複数のコンセント２３を有している。コンセント２３は、給電線２４を介して電流の供給を受ける。
【００２３】
本明細書等において明示された寸法及び値は、記載された正確な数値に厳密に限定されるものとして理解されるものではない。そればかりか、他に特定されていなければ、上記寸法の各々は、記載された値及びその値周辺の機能的に等しい範囲の両方を意味することが意図されている。例えば「４０ｍｍ」と記載された寸法は、「約４０ｍｍ」を意味することが意図されている。
【図面の簡単な説明】
【００２４】
【図１】２本の直立した支持チューブ及び２つのトレイを備え、２つのトレイの各々が電気ケーブルを収容するための収納部を備え、かつ各トレイが２個の差し込み連結部を備えた支持チューブに取り付けられているコンソールの斜視図を示す。
【図２】図１に係るトレイの斜視図を示している。
【図３】図２に係るトレイの側面図を示している。
【図４】電気ケーブルは図示せず差し込み連結部が図示されている、図２のトレイを部分的に切り出した上面図を示している。
【図５】図４に示した部分的に切り出したトレイを、図３の図に対して９０度回転させた側面図を示している。
【符号の説明】
【００２５】
１      コンソール
２      支持チューブ
３      組み立てかぎ爪
４      差し込み連結部
５      トレイ
６      差し込み口
７      ボール
８      ばね
９      凹部
１０    かぎ爪部
１１    かぎ爪部
１２    つかみ部
１３    連結部品
１４    固定部品
１５    壁
１６    壁
１７    収納部
１８    電気ケーブル
１９    電源プラグ
２０    穴
２１    コネクタソケット
２２    本体部
２３    コンセント
２４    給電線
２５    組み立て装置
【図１】
2010508869.tif 000003
【図２】
2010508869.tif 000004
【図３】
2010508869.tif 000005
【図４】
2010508869.tif 000006
【図５】
2010508869.tif 000007
【国際調査報告】
2010508869.tif 000008
2010508869.tif 000009